(57)【要約】【課題】1つのダンパーで吸収エネルギー力を調整することが出来、また、開閉装置の開発が短期で出きる原稿圧着板の開閉装置を提供する。【解決手段】複写機等の装置本体に取り付けられる取付部材と、取付部材に回動自在に枢着されると共に原稿圧着板を支持する支持部材と、支持部材内に摺動自在に納められる第１および第２スライダーと、これらのスライダー間に介挿されると共に前記原稿圧着板を開く方向に付勢する圧縮コイルバネと、から成り、圧縮コイルバネ内に流体ダンパーを設け、流体ダンパーを、基端部が上記第１に取付固定されたシリンダーと、シリンダー内を摺動するピストンと、ピストンと一体的に設けられると共に、その先端部が上記第２スライダーに当接するように設けられた当接ステムと、ピストンの一側に形成された第１流体室と、ピストンの他側に形成された第２流体室と、ピストンの移動に伴って第１流体室および第２流体室間を移動する流体の速度を調整する流量調整用ニードル弁から構成される。【選択図】        図１
2007333970.tif 000002
【特許請求の範囲】
【請求項１】
複写機等の装置本体に取り付けられる取付部材と、該取付部材に回動自在に枢着されると共に原稿圧着板を支持する支持部材と、該支持部材内に摺動自在に納められる第１および第２スライダーと、これらのスライダー間に介挿されると共に前記原稿圧着板を開く方向に付勢する圧縮コイルバネと、から成る原稿圧着板の開閉装置において、上記圧縮コイルバネ内に流体ダンパーを設け、該流体ダンパーを、基端部が上記第１に取付固定されたシリンダーと、該シリンダー内を摺動するピストンと、該ピストンと一体的に設けられると共に、その先端部が上記第２スライダーに当接するように設けられた当接ステムと、上記ピストンの一側に形成された第１流体室と、該ピストンの他側に形成された第２流体室と、上記ピストンの移動に伴って上記第１流体室および第２流体室間を移動する流体の速度を調整する流量調整用ニードル弁から構成したことを特徴とする原稿圧着板の開閉装置。
【請求項２】
上記ピストンに、上記第１および２流体室間を流体が移動する流体通路を形成し、該流体通路の流体移動量を調整する流量調整用ニードル弁を、上記当接ステムに設けたことを特徴とする請求項１に記載の原稿圧着板の開閉装置。
【発明の詳細な説明】
【技術分野】
【０００１】
本発明は、複写機、ファクシミリ、スキャナー、或いはそれらの複合機などにおける原稿圧着板の開閉装置に関するものである。
【背景技術】
【０００２】
従来の原稿圧着板の開閉装置としては、複写機等の装置本体に取り付けられる取付部材と、該取付部材に回動自在に枢着されると共に原稿圧着板を支持する支持部材と、該支持部材内に摺動自在に納められる第１および第２スライダーと、これらのスライダー間に介挿されると共に前記原稿圧着板を開く方向に付勢する圧縮コイルバネと、から成るものがあり、上記取付部材と支持部材との間に流体ダンパー装置を設けて、支持部材が所定の閉成角度以下においてのみ動作させるものがあった。
【０００３】
しかし、上記流体ダンパー装置は、図４（Ａ）に示すように、ダンパーの吸収エネルギー力が一定の為、原稿圧着板（ＡＤＦ）の重量に合わせて、吸収エネルギー力の違うダンパーを用意する必要があった。
その為、生産性やコスト高の要因となっていた。
【特許文献１】実用新案登録第２５８９７１４号公報
【発明の開示】
【発明が解決しようとする課題】
【０００４】
本発明が解決しようとする課題は、上記従来の流体ダンパーの問題点を解決することができる原稿圧着板の開閉装置を提供することにある。
【課題を解決するための手段】
【０００５】
本発明は、複写機等の装置本体に取り付けられる取付部材と、該取付部材に回動自在に枢着されると共に原稿圧着板を支持する支持部材と、該支持部材内に摺動自在に納められる第１および第２スライダーと、これらのスライダー間に介挿されると共に前記原稿圧着板を開く方向に付勢する圧縮コイルバネと、から成る原稿圧着板の開閉装置において、上記圧縮コイルバネ内に流体ダンパーを設け、該流体ダンパーを、基端部が上記第１に取付固定されたシリンダーと、該シリンダー内を摺動するピストンと、該ピストンと一体的に設けられると共に、その先端部が上記第２スライダーに当接するように設けられた当接ステムと、上記ピストンの一側に形成された第１流体室と、該ピストンの他側に形成された第２流体室と、上記ピストンの移動に伴って上記第１流体室および第２流体室間を移動する流体の速度を調整する流量調整用ニードル弁から構成したことを特徴とする。また、上記ピストンに、上記第１および２流体室間を流体が移動する流体通路を形成し、該流体通路の流体移動量を調整する流量調整用ニードル弁を、上記当接ステムに設けたことを特徴とする。
【発明の効果】
【０００６】
本発明の原稿圧着板の開閉装置は、原稿圧着板等の開閉部材の重量に変化があっても、図４（Ｂ）に示すように、1つのダンパーで吸収エネルギー力を調整することが出来、また、開閉装置の開発が短期で出きるという利点がある。
【発明を実施するための最良の形態】
【０００７】
図１において、Ｐは原稿圧着板であって、開閉装置Ｈを介して、複写機等の装置本体Ｍに開閉自在に取り付けられている。上記開閉装置Ｈは、上記装置本体Ｍに取り付けられている取付部材１と、該取付部材１にヒンジ軸２を介して回動自在に枢着される支持アーム３と、該支持アーム３の先端部に支持軸４を介して回動自在に枢着されると共に、上記原稿圧着板Ｐを取り付け固定するリフトアーム５から、主として構成されている。
【０００８】
上記支持アーム３内にはその長手方向に第１スライダー６および第２スライダー７が摺動自在に納められていると共に、これら第１、２スライダー６、７間には圧縮コイルバネ８が介挿されている。本実施例では２重コイルバネとなっているがこれに限定するものではない。上記第２スライダー７のカムフォロアー７ａは、上記取付部材１に設置されたカム部９に当接している。
【０００９】
なお、本発明における開閉装置Ｈは、上記構造に限定するものではなく、例えば、支持軸４およびリフトアーム５を省略し、上記原稿圧着板Ｐを支持アーム３に取り付け固定するように構成する等、従来公知の構造のいずれでもよい。
【００１０】
１０は流体ダンパーであって、図２から明らかなように、主としてシリンダー１０ａと、ピストン１０ｂと、当接ステム１０ｃと、第１流体室１０ｄと、第２流体室１０ｅと、流量調整用ニードル弁１０ｆと、コイルバネ１０ｇと、ダイヤフラム１０ｈから構成される。上記シリンダー１０ａの基端部を上記第１スライダー６に取付固定する。一方、上記当接ステム１０ｃの先端部は上記第２スライダー７に当接するようになっている。図示のように、両スライダー６および７の間隔が広がっている場合には、当接ステム１０ｃの先端部は、上記第２スライダー７から離れている。
【００１１】
上記ピストン１０ｂは、上記シリンダー１０ａ内に摺動可能に納められている。該ピストン１０ｂの一側には第１流体室１０ｄが形成されると共に、他側には第２流体室１０ｅが形成されていて、ピストン１０ｂの移動に伴って、それらの容積が変化するようになっている。
【００１２】
上記ピストン１０ｂには流体通路１０ｂ′が開設されていて、ピストン１０ｂの移動に伴って、第１流体室１０ｄ内の粘性流体（例えば、シリコンオイル）を第２流体室１０ｅへ移動させ、逆に、第２流体室１０ｅ内の流体を第１流体室１０ｄへ移動させる。上記流量調整用ニードル弁１０ｆは、流体の移動流量を調整して、流体ダンパー１０の吸収エネルギー力を調整する。該流量調整用ニードル弁１０ｆは、当接ステム１０ｃの先端側に開設された穴から調整するようになっている。
【００１３】
本実施例の開閉装置は以上のように構成されているので、原稿圧着板Ｐを図１に示す状態から図３に示す状態に閉動させると、原稿圧着板Ｐの重量が圧縮コイルバネ８の反発力に打ち勝って、急激に下降しようとすると、上記流体ダンパー１０の当接ステム１０ｃの先端が上記第２スライダー７に当接する。
【００１４】
当接ステム１０ｃの先端が第２スライダー７に当接すると、該当接ステム１０ｃと一体になっている上記ピストン１０ｂがシリンダー１０ａ内を第１流体室１０ｄ方向に移動しようとする。
【００１５】
ピストン１０ｂが第１流体室１０ｄ方向に移動すると、第１流体室１０ｄ内の流体が流体通路１０ｂ′と通って第２流体室１０ｅ内に移動する。その際のピストン１０ｂの移動速度、すなわち、流体ダンパー１０の吸収エネルギー力は、流体が流体通路１０ｂ′を通る流量に依存する。
【図面の簡単な説明】
【００１６】
【図１】本発明の原稿圧着板の開閉装置の第１の実施例を示す断面図である。
【図２】図１の流体ダンパーの外観図（Ａ）および拡大断面図（Ｂ）である。
【図３】図１の装置の作用説明図である。
【図４】従来の流体ダンパーによるエネルギー吸収力を示すグラフ（Ａ）および本発明の流体ダンパーによるエネルギー吸収力を示すグラフ（Ｂ）である。
【符号の説明】
【００１７】
１    取付部材
２    ヒンジ軸
３    支持アーム
４    支持軸
５    リフトアーム
６    第１スライダー
７    第２スライダー
７ａ  カムフォロアー
８    圧縮コイルバネ
９    カム部
１０  流体ダンパー
１０′流体ダンパー
１０ａ  シリンダー
１０ｂ  ピストン
１０ｃ  当接ステム
１０ｄ  第１流体室
１０ｅ  第２流体室
１０ｆ  流量調整用ニードル弁
１０ｇ  コイルバネ
１０ｈ  ダイヤフラム
Ｐ    原稿圧着板
Ｍ    装置本体
Ｈ    開閉装置
【図１】
2007333970.tif 000003
【図２】
2007333970.tif 000004
【図３】
2007333970.tif 000005
【図４】
2007333970.tif 000006